(57)【特許請求の範囲】
【請求項１】
メインコーンと、ボイスコイルとボビンを有する振動部と、マグネットとヨークを有する静止部と、を備えた動電型スピーカと、
前記メインコーンの正面側に配置された電飾部と、を備え、以下の構成をも備えていることを特徴とする遊技機用音響装置。
（１）前記ボビンは、その前端が前記メインコーンの前面側に所定量突出する様に、前記メインコーンの中心に接着されていること。
（２）前記メインコーンとの間に所定の間隙を保って位置する様に、前記ボビンの前端に、当該ボビンの内側から外側まで広がるサブコーンが接着されていること。
（３）前記電飾部は、前記ボビンを跨ぐ様に、前記サブコーンの前面に取り付けられていること。
【請求項２】
さらに、以下の構成をも備えていることを特徴とする請求項１の遊技機用音響装置。
（４）前記サブコーンは前記ボビンの前面を塞ぎ、前記メインコーンに沿って広がる円錐形に構成されていること。
【請求項３】
前記サブコーンが金属板から構成される請求項１又は２の遊技機用音響装置。
【請求項４】
前記電飾部がＬＥＤと、ＬＥＤ基板とから構成され、ＬＥＤ基板が直接、前記サブコーンの前面側の表面に固定される請求項１ないし３いずれかの遊技機用音響装置。
【請求項５】
前記ＬＥＤ基板が前記サブコーンに接着剤又は接着テープで接着される請求項４の遊技機用音響装置。
【請求項６】
前記ＬＥＤ基板がフレキシブル基板である請求項４又は５の遊技機用音響装置。
【発明の詳細な説明】
【技術分野】
【０００１】
本発明は、遊技盤に遊技球を発射して遊技が行われる遊技機用音響装置に関するものである。
【背景技術】
【０００２】
遊技機は、遊技規則等の制約によって、音響設計および電飾設計の上で、大変な制約を受けている。従来型の音響装置は、遊技機の外観上、スピーカを隠すため、複数の放音孔が穿設された板で覆い、スピーカで発生した音が孔を経て遊技者に伝播されていた。また、前記した板に代えて破損防止用の金網等が用いられることもある。
【０００３】
特許文献１に示す通り、所要の大きさのスピーカ３を、その開口部が遊技機本体２の上部前面に位置するように設けるとともに、遊技機本体２の上部前面部に、スピーカ３の前面開口部を囲撓して光透過性を有する筒状カバー４を突出させて装着し、筒状カバー４の内側に沿って発光体６を配置し、この筒状カバー４の前面開口部を、放音孔を有する防護カバー５で被って遊技機を構成したものがある。
【特許文献１】特開２００４−６５６４７号公報
【０００４】
また、特許文献２に示す通り、効果音を発生させるスピーカ本体１１０と、スピーカ本体１１０の前面側に取り付けられるケース部１２０と、ケース部１２０の前面側に取り付けられるスピーカカバー１３０と、ケース部１２０に取り付けられる２個の照明部１４０とから構成され、照明部１４０には、筒状体１２１の内側に保持される装飾用ＬＥＤ１４２が設けられ、そこから出力される可視光が、センターキャップ１１１やコーン１１２等で反射して遊技者に向けて照射される。
【特許文献２】特開２００３−１１７０８２号公報
【０００５】
また、特許文献３に示す通り、レンズカバーの光による照明むら防止とレンズカバーからの音放出とを図るため、レンズカバー３０のランプ収納室３３に基板放音孔４３を有するランプ基板３１が前側に配置され、スピーカ３２がランプ基板３１の裏側に配置され、ランプ基板３１に実装された光源４１から照射される光がスピーカ３２で遮られることなくレンズカバー３０を直接的に照明し、スピーカ３２からの音がランプ基板３１に遮られることなく基板放音孔４３及び放音孔３６を経由してレンズカバー３０の外部に放出される。
【特許文献３】特開２００２−１４３４０３号公報
【０００６】
さらに、スピーカの振動板の前面を発光体で塞いて音をブロックする一方で、発光体の周辺部から音を出力する構造が提案されている。例えば、特許文献４に示す通り、音質の向上を図るとともに、スピーカがいたずらされにくい構造にするため、ディスプレー部１Ｇの背部に、ディスプレー部１Ｇの構成部材１ｃとの間に密閉状の音声伝播経路４を形成する経路形成部材５を設けるとともに、ディスプレー部１Ｇの前面外周縁側の特定箇所には、音声伝播経路４に連通する音出口３を形成し、音声伝播経路４のうち、音出口３から奥側に離間する部位にはスピーカ２を設けてある。
【特許文献４】特開２００２−１３６６４６号公報
【発明の開示】
【発明が解決しようとする課題】
【０００７】
しかしながら、従来型の音響装置では、スーペースの面でスピーカの配置に制約があり、自由度の高いスピーカの配置が困難であった。例えば、遊技機の前面の上部にスピーカを配置する場合、スピーカが見えないようにするために苦しい工夫を行っており、デザイン設計上のバランスが崩れていた。また、大型のスピーカを使用することが困難であった。
【０００８】
また一方、特許文献１〜４では音響的なテクノロジーはほとんど考慮されていなく、スピーカの前面を遮蔽することは、こもり音の原因となり、従来の技法では考えられないことである。即ち、特許文献１〜４ではスピーカを隠す効果があり電飾効果は上がるが、音響特性は悪化する。例えば、特許文献１では、防護カバー５により前面が覆われることで、こもり音が発生し、また、音の反射にスペースをとる必要が生じ、防護カバー５と、振動板３１との間にスペースをとる必要が生じる。特許文献２ではスピーカ・カバー１３０により前面が覆われこもり音が発生し、また、照明部１４０の光の反射にスペースをとる必要が生じる。特許文献３、特許文献４では、音響空間と垂直軸とが平行になる箇所（特許文献３では基板放音孔４３、特許文献４では垂直状のスリット３ａ）があること、また、特許文献４では半球状面とスピーカの中心とをずらして配置せざるをえないなどの問題がある。このため、音の共振周波数が集中し、気柱共振現象の弊害を防止できず、音の指向性が損なわれている。したがって、特許文献１〜４では電飾効果と音響特性の両立が困難であった。
【０００９】
遊技機は、年々、前面側のデザインが重要度を増して来ており、遊技機の前面のデザイン性を確保しつつ音響特性の向上が強く要請されている。遊技メーカーの要望の中に、遊技台の前面に一杯に電飾等の視覚効果を生じる部品をデザインしたいという要望、例えば、電飾（LED等）によってパチンコ台の全体を光らせ、一方では、スピーカのステレオ効果を高めるため、高音用と低音用のスピーカを配置し、２から４個程度の個数を１台に設置したい等という要請がある。このように遊技台前面の一杯に部品をデザインするときに、スピーカはデザインのバランスを崩す原因となる。
【課題を解決するための手段】
【００１０】
そこで、本発明者は、鋭意検討の上、特許請求の範囲に記載の発明をなしたものである。本発明は、メインコーンと、ボイスコイルとボビンを有する振動部と、マグネットとヨークを有する静止部と、を備えた動電型スピーカと、前記振動部の正面に配置された電飾部と、を備え、以下の構成をも備えていることを特徴とする遊技機用音響装置である。
（１）前記ボビンは、その前端が前記メインコーンの前面側に所定量突出する様に、前記メインコーンの中心に接着されていること。
（２）前記メインコーンとの間に所定の間隙を保って位置する様に、前記ボビンの前端に、当該ボビンの内側から外側まで広がるサブコーンが接着されていること。
（３）前記電飾部は、前記ボビンを跨ぐ様に、前記サブコーンの前面に取り付けられていること。
【００１１】
ここで、「ボビン前端がメインコーンの前面側に所定量突出する接着状態」は、後述実施形態の図５〜図７に図示される様に、ボビンの先端より所定量下方の位置でメインコーンと接着することにより実現できる。なお、スピーカの、メインコーンと、振動部と、静止部は、遊技機用の一般的な構造が好ましい。
【００１２】
本発明の遊技機用音響装置は、さらに、以下の構成祖も備えるとよい。
（４）前記サブコーンは前記ボビンの前面を塞ぎ、前記メインコーンに沿って広がる円錐形に構成されていること。
【００１３】
電飾部としてはＬＥＤ部が好ましい。それらの基板としては、フレキシブル基板が好ましい。
【００１４】
サブコーンはメインコーンよりもその直径が小径であることが好ましい。サブコーンは、金属製が好ましく、例えば、アルミニウム、チタン合金等が好ましい。サブコーンは円錐形が好ましい。
【００１５】
サブコーンの配置は、正面視で円形、側面視で三角錐が好ましい。正面視で前面がボビンの凹部に配置することが好ましい。
【００１６】
サブコーンの板の厚さは、一般的な厚みでよく、特定の数値には限定されるものではない。例えば、０．０５〜１ｍｍ、０．１〜０．５ｍｍが好ましく、特に０．１〜０．３ｍｍが好ましい。サブコーンの直径は、メインコーンの直径の適宜の割合で設定すればよく、特定の割合に限定されるものではない。例えば、メインコーンの直径の１０〜９０％、２０〜６０％が好ましく、特に３０〜５０％が好ましい。
【００１７】
ボビンの前面の中央部にサブコーンの中心部を結合させる態様としては、接着、溶着等が好ましい。接着の態様は、接着剤、両面テープ等が好ましい。
【００１８】
サブコーンを、メインコーンの正面側において、メインコーンと予め定めた間隙を置いて、同軸状に配置する。メインコーンとサブコーンとの間隙は、適宜の数値でよく限定されるものではないが、２〜３ｍｍが好ましい。サブコーンとメインコーンは平行であることが好ましいが、間隔を可変としてもよい。
【００１９】
サブコーンの中心部がボビンの前面の凹部に接着されることが好ましい。
【００２０】
サブコーンが金属板、例えば、アルミニウム板等から構成されることが好ましい。
【００２１】
電飾部が、ＬＥＤと、ＬＥＤ基板とから構成されることが好ましい。ＬＥＤ基板が直接、前記サブコーンの前面側に固定されることが好ましい。例えば、省スペースの観点からは、幅５mm以下、薄さ２mm以下となる例が挙げられるが、限定されるわけではない。電飾部は、例えば、フレキシブルなフィルム基板へチップ型のＬＥＤを実装しており、傾斜した場所や狭い場所等、取り付け場所を選ばないことが好ましい。極細タイプの電飾部が好ましい。フィルム状の基板へチップ型のＬＥＤを配置することにより、傾斜した場所、取り付けにくい場所への取り付けも容易である。フィルム基板に対して発光面が上に向いたトップビュータイプ、発光面が９０度横に向いたサイドビュータイプのいずれでもよい。
【００２２】
電飾部がサブコーンの前面側の表面に接着剤により接着されることが好ましい。
【００２３】
ＬＥＤ基板がフレキシブル基板であることが好ましい。フレキシブル基板はフィルム状の基板であることが好ましい。
【発明の効果】
【００２４】
本発明によれば、ダブルコーン構造とし、音の進行方向に対して障害物であるサブコーンを設けることによって、音が周辺に方向が変更されるとともに伝播空間が絞られることで、音の放射エネルギーが集中して出て行くことになり、遊技機の限られたスペースの有効活用を行うことにより、遊技機のスピーカ特性の改善とデザイン要求をも満たすものである。また、音声のスピーカの指向特性と放射効率の低下も防止できる。
【００２５】
加えて、電飾部をサブコーンに取り付けることで、取付作業が簡単になる。また、電飾部がメインコーンの近くに配置できるので、スペースが小さくなり、遊技規則上の制約があっても、音響設計上の自由度を確保できる。さらに、ボビンが変形しないように、サブコーンで補強することができる。
【００２６】
請求項３の発明によれば、サブコーンが金属製であるので、穴を開けたり、電飾部等を張り付ける等の取付業性に優れている。また、スピーカに対する不正行為に対して、防護効果を果たすことができる。
【００２７】
請求項４の発明によれば、前記電飾部がＬＥＤと、ＬＥＤ基板とから構成され、ＬＥＤ又はＬＥＤ基板が直接、前記サブコーンの前面側に固定されるので、音響性能を損なうことなく、遊技機前面を電飾装置で一杯にデザインすることができる。
【００２８】
請求項５の発明によれば、前記ＬＥＤ基板が前記サブコーンに接着剤又は接着テープで接着されるので、取り付け作業が簡素化するととに、メインコーンの前面側のスペースを有効に活用できる。
【００２９】
請求項６の発明によれば、前記ＬＥＤ基板がフレキシブル基板であるので、取り付け作業が容易になる。
【発明を実施するための最良の形態】
【００３０】
以下、本発明を適用した遊技機用音響装置１（以下、単に音響装置１という。）の実施形態について図面を参照して説明する。
【００３１】
音響装置１は、図１〜図６に示す通り、メインコーン２と、ボイスコイル３とボビン４を有する振動部５と、マグネット６とヨーク７を有する静止部８と、を備えた動電型スピーカ９と、振動部５の正面側に配置されたＬＥＤ部１０と、を備えたものである。
【００３２】
音響装置１は、メインコーン２よりもその直径が小径であるサブコーン１１を備え、サブコーン１１の中心部１２の背面を、ボビン４の前面部に結合させるとともに、サブコーン１１を、メインコーン２の正面領域において、メインコーン２と予め定めた間隙Ｄを置いて、振動部５の中心軸Ｘに対して同軸状に配置したことを特徴とする。さらに、金属製（例えば、アルミニウム製）の外装体１３と、ボイスコイル３と電気的に接続する配線部１４と、を備えている。さらに多数の貫通孔２０を有するカバー３０が動電型スピーカ９と、ＬＥＤ部１０とを被うように外装体１３の前面に装着されている。以下、本実施形態の詳細を説明する。
【００３３】
メインコーン２は、円形のコーン形状のダイヤフラムであって、中心部の開口にボビン４が位置する一般的なものである。
【００３４】
メインコーン２は、振動部５の上部に支持されている。ボビン４は、円柱形状であって、ボビン４の外周にボイスコイル３が巻き回され、その外周に紙が巻かれたものである。また、ボビン４の前面部に軸方向Ｘの後方に対して凹んだ形状の凹部４０が形成され、この凹部４０にサブコーン１１の中心部１２の背面側が接着されたものである。またボビン４の下端外周縁に円形板で中心孔が形成されたダンパー５０が固定されている。ダンパー５０の外周縁は皿部１３５の内周面に接着されている。
【００３５】
静止部８については周知の構成と同様であるので、説明は省略する。この実施形態ではマグネット６は中心の円柱部にあるが、フェライト磁石を使ったスピーカーでは、外側に付けてあることもある。
【００３６】
図６に示す通り、ＬＥＤ部１０が複数個のＬＥＤ１００が装着されたＬＥＤ基板１０１と、導線１０２から構成され、ＬＥＤ基板１０１の背面が直接、サブコーン１１の前面側の表面に固定されている。ＬＥＤ基板１０１はフレキシブルなフィルム基板である。ＬＥＤ基板１０１がサブコーン１１に接着剤又は両面テープで接着されている。
【００３７】
サブコーン１１がアルミニウム板から製作されている。中心部１２は円錐形の中心に位置するものである。
【００３８】
外装体１３は、金属製の薄板から構成されたものであり、図１〜図４に示す通り、前面板１３０と、前面板１３０に形成され円形の大径の開口１３１と、前面板１３０に形成されビスを取り付けるための小径の取付孔１３２と、前面板１３０の開口１３１の端縁から後方に相互に側面開口１３３を空けて延び出す複数枚の接続板１３４と、振動部５と、複数の接続板１３４と接続する皿部１３５と、皿部１３５より小径であって皿部１３５から後方に軸方向に突出する、静止部８を内蔵するための後部収容部１３６と、を備えている。外装体１３の内部で且つメインコーン２の背面には、側面開口１３３と連通するバックスペース１３７が拡がっている。
【００３９】
配線部１４は、ボイスコイル３と接着、溶着、ハンダ等によって接続する複数本（図では２本）の導線１４０と、接続板１３４に固定された端子板１４１と、端子板１４１に固定された複数の端子１４２と、接続板１３４に端子板１４１を固定する固定部１４３と、を備えている。配線部１４からボイスコイル３に電流が供給される。
【００４０】
この音響装置１は、遊技機の音制御基板等により制御されるように構成されている。この実施形態においては、図柄が特定配列となって、一般入賞時やボーナス入賞時などの賞球獲得状態又はメダル獲得状態になった場合などにおいて、主制御基板からの指令信号によって音制御基板（図示略）を作動させて効果音を出力するようになっている。
【００４１】
上記のような構成を備えた本実施形態の動作を説明する。まず、弾球遊技機から導線１４０に電流が供給されると、ボイスコイル３に電流が流れ、これにより、マグネットで発生する磁束が鉄で出来たヨーク７に導かれボイスコイル３の所に強い磁場を作る。ボイスコイル３に流れる電流はこの磁場でローレンツ力を受け、振動部５が振動し、この動きがメインコーン２とサブコーン１１に伝わり周りの空気を振動させ音を放出する。
【００４２】
弾球遊技機の遊技中に、例えば、一般入賞時やボーナス入賞時などの賞球又はメダル獲得状態になった場合、音制御基板（図示略）から出力された音声信号は音響装置１に入力され、この音響装置１から効果音等の音声が出力される。それとともに、電飾制御基板（図示略）からの電飾信号がＬＥＤ基板１０１に出力されて、これに応答してＬＥＤ１００が発光する。
【００４３】
本実施形態によれば、メインコーン２の前面にサブコーン１１を設置し、サブコーン１１を障害物として加えることによって、放射された音の伝播に加速がつく（音の伝播速度を上げる）。即ち、ダブルコーン構造とし、音の進行方向に対して障害物であるサブコーン１１を設けることによって、音が周辺に方向が変更されるとともに伝播空間が絞られることで、音の放射エネルギーが集中して出て行くことになる。したがって、音の伝播経路を狭めてやることによって、音の加速度が増すという特性がある。加速して音が伝播されれば、当然、音の歪みも少なくなるし、音響エネルギーも多く取れることとなる。また、サブコーン１１により音の伝播方向が中心軸線Ｘ（図５参照）と非平行となるので、平行面が形成されず、気柱共振を起こさないこういう構造になっている。したがって、気柱共振を有効に防止できる。また、サブコーン１１の前面をＬＥＤ部１０で自在にデザインすることができる。そして、１台の遊技機に複数種類のスピーカ（例えば、高音用スピーカと低音用スピーカ）を複数個で用いることができ、しかも、遊技機前面の電飾デザイン上の制約を解消できる。さらに大型のスピーカを採用することができ、スピーカの容量の自由度が格段に向上する。
【実施例】
【００４４】
本実施例は、メインコーン２の厚みが０．３５ｍｍ、直径５５ｍｍ、サブコーン１１がアルミニウム製でその厚さが０．２ｍｍ、直径２５ｍｍ、振動部５の軸方向長さ６ｍｍ、直径１４ｍｍ、静止部８の直径１９ｍｍ、軸方向長さ９ｍｍ、スピーカ９は抵抗８Ω、出力１０Ｗである。
【００４５】
なお、本発明は、上述の実施の形態に限定されるものではなく、本発明の技術的思想を逸脱しない範囲において、改変等を加えることが出来るものであり、それらの改変、均等物等も本発明の技術的範囲に含まれることとなる。例えば、音響装置１は円筒形に限らず、楕円、角形等でもよい。また、サブコーン１１の形状、構造、配置等も発明の趣旨を逸脱しない範囲で適宜設定できる。ＬＥＤ部１０の形状や構造も一例を示したもので、適宜、変形できる。振動部５も適宜変更でき、例えば、図７に示す通り、ボビン４の径を前述実施形態よりも細径にしたものでよい。
【図面の簡単な説明】
【００４６】
【図１】本発明実施形態の遊技機用音響装置（ＬＥＤ部を除く。）の斜視図である。
【図２】同装置の正面図である。
【図３】（ａ）は同装置の平面図、（ｂ）は同左側面図、（ｃ）は同底面図である。
【図４】同装置の背面図である。
【図５】同装置の内部構造を示す中央縦断面図である。
【図６】（ａ）は本発明実施形態の遊技機用音響装置の上部の中央縦断面図、（ｂ）は同平面図である。
【図７】本実施形態の遊技機用音響装置（ＬＥＤ部を除く。）の変形例を示す中央縦断面図である。
【符号の説明】
【００４７】
１・・・遊技機用音響装置 ２・・・メインコーン ３・・・ボイスコイル
４・・・ボビン ４０・・・凹部 ５・・・振動部 ６・・・マグネット
７・・・ヨーク ８・・・静止部 ９・・・動電型スピーカ １０・・・ＬＥＤ部
１００・・・ＬＥＤ １０１・・・ＬＥＤ基板 １１・・・サブコーン
１２・・・中心部 Ｄ・・・間隙 Ｘ・・・中心軸 １３・・・外装体
１３０・・・前面板 １３１・・・開口 １３２・・・取付孔 １３３・・・側面開口
１３４・・・接続板 １３５・・・皿部 １３６・・・後部収容部
１４・・・配線部 １４０・・・導線 １４１・・・端子板 １４２・・・端子
１４３・・・固定部 ２０・・・貫通孔 ３０・・・カバー
【図１】
0005273968.tif 000002
【図２】
0005273968.tif 000003
【図３】
0005273968.tif 000004
【図４】
0005273968.tif 000005
【図５】
0005273968.tif 000006
【図６】
0005273968.tif 000007
【図７】
0005273968.tif 000008